(57)【要約】【課題】印刷物の内容が他人に漏洩する可能性を低減する。【解決手段】３台のスタッカが画像形成装置本体に接続されたシステムにおいて、３台のスタッカに対応した選択ボタン７１〜７３が、表示装置３４中に、画像形成装置本体、３台のスタッカの外観図とともに表示されている。ユーザが、選択ボタン７１〜７３のうち、排出結果情報を表示させたいスタッカに対応する選択ボタンをタッチし、印刷ジョブ送信時に発行されたパスワードを入力すると、タッチされたボタンに対応したスタッカを排出先とする印刷ジョブのリストである排出先ジョブリストが表示装置３４に表示される。またセキュリティモードが設定されている場合、表裏を反転させて排紙する裏面排紙または異なる印刷ジョブの印刷物間に合紙を挿入する合紙挿入が行われる。【選択図】図８
2009137186.tif 000002
【特許請求の範囲】
【請求項１】
クライアント装置から印刷要求を受信した場合に、該クライアント装置に対して認証情報を発行する発行手段と、
複数の排出先の中から排出結果を表示すべき排出先の選択結果を受け付ける選択結果受付手段と、
排出先の排出結果を示す排出結果情報を作成する作成手段と、
認証情報を入力するための認証情報入力手段と、
前記認証情報入力手段により入力された認証情報と、前記発行手段により発行された認証情報とが一致するか否かを判定する認証情報判定手段と、
前記認証情報判定手段において認証情報が一致すると判定された場合に、前記作成手段により作成された排出結果情報を、前記選択結果受付手段により受け付けた選択結果において選択された排出先について表示するよう表示装置を制御する表示制御手段と、
を有する画像形成システム。
【請求項２】
クライアント装置から印刷要求を受信した場合に、該クライアント装置に対して認証情報を発行する発行手段と、
排出結果を表示すべき印刷要求の条件を指定する指定手段と、
前記指定手段により指定された条件に合致する印刷要求の排出結果を示す排出結果情報を作成する作成手段と、
認証情報を入力するための認証情報入力手段と、
前記認証情報入力手段により入力された認証情報と、前記発行手段により発行された認証情報とが一致するか否かを判定する認証情報判定手段と、
前記認証情報判定手段において認証情報が一致すると判定された場合に、前記作成手段により作成された排出結果情報を表示するよう表示装置を制御する表示制御手段と、
を有する画像形成システム。
【請求項３】
前記認証情報判定手段において認証情報が一致すると判定された場合に、各排出先に設けられた鍵を解錠する解錠手段を有する請求項１または２記載の画像形成システム。
【請求項４】
画像形成の際の動作モードを印刷物の秘匿性を向上させるセキュリティモードに設定する設定手段と、
前記設定手段により動作モードがセキュリティモードに設定されおり、かつ、印刷モードが片面印刷モードの場合、画像が形成された後の用紙の表裏を反転させる反転手段とを備える請求項１から３のいずれか１項記載の画像形成システム。
【請求項５】
画像形成の際の動作モードを印刷物の秘匿性を向上させるセキュリティモードに設定する設定手段と、
前記設定手段により動作モードがセキュリティモードに設定されている場合、１つの印刷要求に基づいて画像が形成された用紙束の上側に、印刷内容を隠すための合紙を挿入する合紙挿入手段とを備える請求項１から３のいずれか１項記載の画像形成システム。
【請求項６】
前記複数の排出先が、画像形成システム本体に接続された複数の後処理装置である請求項１から５のいずれか１項記載の画像形成システム。
【請求項７】
クライアント装置から印刷要求を受信した場合に、該クライアント装置に対して認証情報を発行するステップと、
複数の排出先の中から排出結果を表示すべき排出先の選択結果を受け付けるステップと、
排出先の排出結果を示す排出結果情報を作成するステップ、
認証情報を入力するステップ、
入力された認証情報と発行した認証情報とが一致するか否かを判定するステップと、
前記認証情報判定手段において認証情報が一致すると判定された場合に、作成された排出結果情報を、受け付けた選択結果において選択された排出先について表示するよう表示装置を制御するステップとをコンピュータに実行させるためのプログラム。
【発明の詳細な説明】
【技術分野】
【０００１】
本発明は、画像形成システムおよびプログラムに関する。
【背景技術】
【０００２】
近年の画像形成装置においては、様々な顧客ニーズに応えるため、各種周辺装置を用意し、画像形成装置に接続することで機能拡張を行うような構成をとるものが増えてきた。特に、高速機器のオプション装置として複数の入出力周辺装置を縦列的に接続（重連接続）することで、高生産性に見合った収容枚数や排出枚数（スタック枚数）に拡張可能な構成を取ることが可能となっている。例えば、高速画像形成装置において収容枚数を増やすために大容量給紙装置を複数接続可能にしたり、それに対応した枚数の出力を可能とするため、大容量スタッカであるＨＣＳ（High Capacity Stacker）を複数接続することが可能となっている。
【０００３】
このような排出先が複数接続されている画像形成装置において、出力した画像がどの排出先に排紙されたか、排紙された装置のどの辺りに積載されているかを認識することが出来ずに、誤って他の排出先から出力シートを取り出してしまったり、誤って積載されている他の出力シートを取り出してしまうことが発生している。
【０００４】
そのため、このような排出先が複数存在するような画像形成装置において、排紙された印刷結果の取り出しを容易にするための様々な方法が提案されている（例えば、特許文献１、２参照。）。
【０００５】
特許文献１においては、画像入力方法の違い（例えばコピー、プリンタ、ファクシミリ）のような機能毎に排出先を予め決定しておき入力方法毎に排出先を変えて制御し、各排出先の状態（排紙中、終了）やトレイの状態（出力紙の有無）を表示させることによって、ユーザに対して取り出し先を容易に認識できるようにした方法が開示されている。
【０００６】
また、特許文献２においては、画像情報に付加される付加情報（撮影日、タイトル、顧客名）を予め複数存在する排出先へ関連付けしておいて付加情報に応じて排出先を決定し、画像がどの排出先に排紙されたかを識別できるようにし、ユーザに対して取り出し先を容易に認識できるようにした方法が開示されている。
【０００７】
しかし、これらの先行技術では、特定の印刷物は予め決められた排出先に排出されるため、悪意のある第三者が排出先に積載されている印刷物を取り出してしまうことも容易となる。また、悪意はないユーザが自分の印刷物を排出先から取り出す際に他人の印刷物の内容を見てしまう可能性も否定することができない。
【０００８】
【特許文献１】特開平７−３３６４８１号公報
【特許文献２】特開２００２−３７５２０号公報
【発明の開示】
【発明が解決しようとする課題】
【０００９】
本発明の目的は、印刷物の内容が他人に漏洩する可能性を低減することができる画像形成システムおよびプログラムを提供することである。
【課題を解決するための手段】
【００１０】
[画像形成システム]
請求項１に係る本発明は、クライアント装置から印刷要求を受信した場合に、該クライアント装置に対して認証情報を発行する発行手段と、
複数の排出先の中から排出結果を表示すべき排出先の選択結果を受け付ける選択結果受付手段と、
排出先の排出結果を示す排出結果情報を作成する作成手段と、
認証情報を入力するための認証情報入力手段と、
前記認証情報入力手段により入力された認証情報と、前記発行手段により発行された認証情報とが一致するか否かを判定する認証情報判定手段と、
前記認証情報判定手段において認証情報が一致すると判定された場合に、前記作成手段により作成された排出結果情報を、前記選択結果受付手段により受け付けた選択結果において選択された排出先について表示するよう表示装置を制御する表示制御手段とを有する画像形成システムである。
【００１１】
請求項２に係る本発明は、クライアント装置から印刷要求を受信した場合に、該クライアント装置に対して認証情報を発行する発行手段と、
排出結果を表示すべき印刷要求の条件を指定する指定手段と、
前記指定手段により指定された条件に合致する印刷要求の排出結果を示す排出結果情報を作成する作成手段と、
認証情報を入力するための認証情報入力手段と、
前記認証情報入力手段により入力された認証情報と、前記発行手段により発行された認証情報とが一致するか否かを判定する認証情報判定手段と、
前記認証情報判定手段において認証情報が一致すると判定された場合に、前記作成手段により作成された排出結果情報を表示するよう表示装置を制御する表示制御手段とを有する画像形成システムである。
【００１２】
請求項３に係る本発明は、前記認証情報判定手段において認証情報が一致すると判定された場合に、各排出先に設けられた鍵を解錠する解錠手段を有する請求項１または２記載の画像形成システムである。
【００１３】
請求項４に係る本発明は、画像形成の際の動作モードを印刷物の秘匿性を向上させるセキュリティモードに設定する設定手段と、
前記設定手段により動作モードがセキュリティモードに設定されおり、かつ、印刷モードが片面印刷モードの場合、画像が形成された後の用紙の表裏を反転させる反転手段とを備える請求項１から３のいずれか１項記載の画像形成システムである。
【００１４】
請求項５に係る本発明は、画像形成の際の動作モードを印刷物の秘匿性を向上させるセキュリティモードに設定する設定手段と、
前記設定手段により動作モードがセキュリティモードに設定されている場合、１つの印刷要求に基づいて画像が形成された用紙束の上側に、印刷内容を隠すための合紙を挿入する合紙挿入手段とを備える請求項１から３のいずれか１項記載の画像形成システムである。
【００１５】
請求項６に係る本発明は、前記複数の排出先が、画像形成システム本体に接続された複数の後処理装置である請求項１から５のいずれか１項記載の画像形成システムである。
【００１６】
[プログラム]
請求項７に係る本発明は、クライアント装置から印刷要求を受信した場合に、該クライアント装置に対して認証情報を発行するステップと、
複数の排出先の中から排出結果を表示すべき排出先の選択結果を受け付けるステップと、
排出先の排出結果を示す排出結果情報を作成するステップ、
認証情報を入力するステップ、
入力された認証情報と発行した認証情報とが一致するか否かを判定するステップと、
前記認証情報判定手段において認証情報が一致すると判定された場合に、作成された排出結果情報を、受け付けた選択結果において選択された排出先について表示するよう表示装置を制御するステップとをコンピュータに実行させるためのプログラムである。
【発明の効果】
【００１７】
以上説明したように、本発明によれば、印刷物の内容が他人に漏洩する可能性を低減することができるという効果を得ることができる。
【発明を実施するための最良の形態】
【００１８】
図１は本発明の一実施形態の画像形成システム１の構成を示すブロック図である。
【００１９】
本実施形態の画像処理システム１は、図１に示すように、ネットワーク５０を介して接続された画像形成装置１０および、クライアント装置として機能する端末装置４０と、画像形成装置１０に対して用紙を給紙する給紙装置２０と、画像形成装置１０により画像が形成された用紙を収容するためのスタッカ３１〜３３とから構成されている。
【００２０】
端末装置４０は、印刷ジョブ（印刷要求）等の印刷データを生成して、画像形成装置１０に対して送信する。画像形成装置１０は、端末装置４０から送信された印刷データを受け付けて、印刷データに応じた画像を用紙上に出力する。
【００２１】
そして、これらのスタッカ３１〜３３は、画像形成装置１０に対して重連接続されている。そのため、画像形成装置１０により排出された用紙は先ずスタッカ３１内を搬送された後に、スタッカ３２、スタッカ３３に対して順次搬送されていく。
【００２２】
場合によっては、以降の説明においてスタッカ３１、３２、３３を、それぞれ、排出先１（＃１）、排出先２（＃２）、排出先３（＃３）として表現するものとする。また、スタッカ３１〜３３には、それぞれ、収容されている用紙の有無を検出可能なセンサ６１〜６３が設けられている。さらに、スタッカ３１〜３３は、それぞれ、印刷物が印刷ジョブ毎に区別可能なように、印刷物の排出位置を印刷ジョブ毎にずらすことが可能なオフセット手段を有する。
【００２３】
また、スタッカ３１〜３３には、それぞれ、用紙をセット可能なインターポーザ９１〜９３が設けられている。このインターポーザ９１〜９３に用紙をセットしておくことにより、画像形成装置１０から排出された用紙の途中に合紙を挿入することが可能となる。さらに、スタッカ３１〜３３には、それぞれ、スタッカの扉を開かないようにするための鍵として機能するロック機構８１〜８３が設けられており、このロック機構８１〜８３が解錠されない限り内部に収容された印刷物の取り出しができない構造となっている。
【００２４】
なお、画像形成装置１０には、ユーザによる操作に基づいて各種情報を入力するタッチパネル方式の表示装置３４が設けられている。
【００２５】
次に、本実施形態の画像形成システム１における画像形成装置１０とスタッカ３１〜３３のハードウェア構成を図２に示す。なお、スタッカ３２、３３のハードウェア構成はスタッカ３１と同様であるため、その説明は省略する。
【００２６】
画像形成装置１０は、図２に示されるように、システム制御部１１と、タッチパネル又は液晶ディスプレイ並びにキーボード等により構成された操作部１２と、画像入力部１３と、画像処理部１４と、画像記憶部１５と、画像出力部１６と、後処理装置制御部１７と、用紙搬送部１８を備えている。
【００２７】
画像入力部１３は、ネットワーク５０を介して端末装置４０等から印刷するための画像データを入力する。画像処理部１４は、画像入力部１３により入力された画像データに対して色変換等の各種画像処理を行う。画像記憶部１５は、画像処理部１４により画像処理が行われた後の画像データを記憶する。画像出力部１６は、画像記憶部１５に記憶されている画像データをシステム制御部１１による制御に基づいて用紙上に出力する。後処理装置制御部１７は、画像形成装置１０に重連接続されているスタッカ３１〜３３の制御を行う。用紙搬送部１８は、画像出力部１６により画像データが出力される用紙を搬送する。
【００２８】
なお、本実施形態では表示装置３４はタッチパネル式の装置であるため、操作部１２は表示装置３４と一体となって構成されている。
【００２９】
また、システム制御部１１は、ＣＰＵ２１、ＲＯＭ２２、ＲＡＭ２３、ＨＤＤ（ハードディスクドライブ）２４とから構成されている。
【００３０】
ＣＰＵ２１は、ＲＡＭ２３またはＨＤＤ２４に格納された制御プログラムに基づいて所定の処理を実行して、画像形成装置１０の動作を制御する。
【００３１】
なお、本実施形態では、ＣＰＵ２１は、ＲＡＭ２３またはＨＤＤ２４内に格納された制御プログラムを読み出して実行するものとして説明したが、当該制御プログラムをＣＤ−ＲＯＭ等の記憶媒体に格納してＣＰＵ２１に提供することも可能である。
【００３２】
また、スタッカ３１は、図２に示されるように、ＣＰＵ４１と、ＲＯＭ４２と、ＲＡＭ４３と、ＨＤＤ４４と、用紙搬送部４５と、収容部４６とから構成されている。
【００３３】
スタッカ３１においても、ＣＰＵ４１は、ＲＡＭ４３またはＨＤＤ４４に格納された制御プログラムに基づいて所定の処理を実行して、スタッカ３１の動作を制御する。
【００３４】
用紙搬送部４５は、画像形成装置１０により画像が形成された後の用紙を指定された排出先まで搬送する。なお、指定された排出先が自装置内の排出先でない場合には、用紙搬送部４５は、後続のスタッカ３２、３３に用紙を搬送する。収容部４６は、用紙搬送部４５により搬送されてきた用紙を順次収容する。
【００３５】
図３は、上記の制御プログラムが実行されることにより実現される画像形成装置１０のシステム制御部１１の機能構成を示すブロック図である。
【００３６】
システム制御部１１は、図３に示されるように、排出結果情報格納部５１と、選択結果受付部５２と、排出先ジョブリスト作成部５３と、表示制御部５４と、検索条件指定部５５と、排出結果更新部５６と、反転部５７と、セキィリティモード設定部５８と、合紙挿入部５９と、パスワード発行部６４と、パスワード判定部６５と、解錠部６６とから構成されている。
【００３７】
排出結果情報格納部５１は、端末装置４０からのー印刷ジョブに基づいて印刷が行われた用紙がどのスタッカにどのような順序で排出されたのかを排出先の情報とともに示す排出結果情報を格納する。
【００３８】
選択結果受付部５２は、ユーザによる操作部１２の操作に基づき、排出先である３つのスタッカ３１〜３３の中から排出結果を表示すべきスタッカの選択結果を受け付ける。
【００３９】
検索条件指定部５５は、例えば、印刷ジョブを送信してきたユーザ名等の排出結果を表示すべき印刷ジョブの条件を指定する。
【００４０】
排出先ジョブリスト作成部５３は、スタッカ３１〜３３の排出結果を示す排出先ジョブリスト（排出結果情報）を作成する。また、排出先ジョブリスト作成部５３は、検索条件指定部５５により指定された条件に合致する印刷ジョブの排出結果を示す排出先ジョブリストを作成する。ここで、排出先ジョブリストとは、選択されたスタッカにどのような印刷ジョブがどのような順序で排出されているかを示すリストである。そして、この排出先ジョブリストには、文書名、ジョブ終了時間、印刷ジョブを送信してきたユーザ名、排出枚数、排出状態、排出枚数、ジョブＩＤ等の情報が含まれる。
【００４１】
パスワード発行部６４は、クライアント装置である端末装置４０から印刷ジョブを受信した場合に、印刷ジョブを送信してきた端末装置４０に対してパスワード（認証情報）を発行する。このパスワードは、発行した日のみ有効、発行した日の何時まで有効等のように有効期限を設けるようにしてもよい。このようにすればパスワードが第三者に漏洩した場合の危険性を最小限とすることが可能である。
【００４２】
パスワード判定部６５は、パスワードを入力するためのパスワード入力手段として機能する操作部１２からパスワードが入力されると、操作部１２により入力されたパスワードと、パスワード発行部６４により発行されたパスワードとが一致するか否かを判定する。
【００４３】
表示制御部５４は、パスワード判定部６５において比較したパスワードが一致すると判定された場合に、排出先ジョブリスト作成部５３により作成された排出先ジョブリストを、選択結果受付部５２により受け付けた選択結果において選択されたスタッカについて表示するよう表示装置３４を制御する。また、検索条件指定部５５により排出結果を表示すべき印刷ジョブの条件が指定された場合には、表示制御部５４は、排出先ジョブリスト作成部５３により作成された排出先ジョブリストを表示するよう表示装置３４を制御する。
【００４４】
解錠部６６は、パスワード判定部６５において比較したパスワードが一致すると判定された場合に、各スタッカ３１〜３３に設けられたロック機構８１〜８３を解錠する。
【００４５】
セキィリティモード設定部５８は、画像形成の際の動作モードを印刷物の秘匿性を向上させるセキュリティモードに設定する。
【００４６】
反転部５７は、セキィリティモード設定部５８により動作モードがセキュリティモードに設定されおり、かつ、印刷モードが片面印刷モードの場合、画像が形成された後の用紙の表裏を反転させる。
【００４７】
図４に反転部５７の具体的な構成例を示す。なお、図４に示した反転部５７の具体例では、用紙をスイッチバックさせることにより用紙の表裏を反転させる場合を示しているが、他の方法により用紙の表裏を反転するようにすることも可能である。
【００４８】
図４（Ａ）は、主搬送路上を搬送されてきた印刷済みの用紙が、搬送路の分岐部分に搬送される様子を示したものであり、図４（Ｂ）は、この分岐部分から用紙が主搬送路に再度戻る場合に用紙の表裏が反転する様子を示している。このように主搬送路から分岐した搬送路を用いて用紙をスイッチバックさせることにより用紙の表裏を反転することが可能となる。
【００４９】
このようにして反転部５７により表裏が反転された後の用紙がスタッカ３１〜３３内において収容される様子を図５に示す。図５に示す例では、印刷面が下側となり、裏面が上側となった状態で複数の用紙が積載されている。そのため、積載された多数の印刷物の中から一部の印刷物を取り出す場合でも他の印刷物の内容が目につき難くなる。また、最上部の用紙は常に裏面となるため、印刷物の内容が漏洩する可能性も低減されることとなる。
【００５０】
合紙挿入部５９は、セキュリティモード設定部５８により動作モードがセキュリティモードに設定されている場合、１つの印刷ジョブに基づいて画像が形成された用紙束の上側に、印刷内容を隠すための合紙を挿入する。合紙の挿入方法としては、スタッカ３１〜３３に設けられているインターポーザ９１〜９３を動作させてセットされている用紙を合紙として挿入するようにする方法や、画像形成装置１０本体において１つの印刷ジョブの印刷処理が終了した後に白紙等を合紙として排出する方法を用いることが可能である。
【００５１】
この合紙挿入部５９により１つの印刷ジョブの印刷物毎に合紙が挿入された場合の具体例を図６に示す。図６に示す例では、印刷物８４〜８６の間に、それぞれ合紙７４〜７６が挿入された場合を示している。このように印刷物の束毎に合紙が挿入されていることにより、ある印刷物を取り出した場合でも、他の印刷物の内容を目にしてしまう可能性を低減することが可能となる。この合紙は、白紙でもよいし、特定の色の色紙でもよいし、印刷物であってもよい。
【００５２】
なお、印刷物の内容の漏洩防止方法として、用紙の表裏を反転させて裏面を上側して排出する裏面排紙と、印刷ジョブの印刷結果毎に合紙を挿入する合紙挿入という２つの方法を説明したが、この漏洩防止方法は、印刷モードが片面印刷なのか両面印刷なのかで用いることができない場合がある。つまり、印刷モードが両面印刷の場合には、裏面排紙を行っても意味がない。そのため、図７に示すように、印刷モードが片面印刷の場合には、裏面排紙または合紙挿入を漏洩防止方法として用いることが可能であるが、印刷モードが両面印刷の場合には、合紙挿入した漏洩防止方法として用いることができない。
【００５３】
なお、印刷モードが片面印刷の場合には、印刷物の内容の漏洩防止方法として、裏面排紙を用いるか合紙挿入を用いるかはユーザが設定することができるようにしてもよいし、自動的に選択されるようにしてもよい。
【００５４】
排出結果更新部５６は、各スタッカ３１〜３３に設けられたセンサ６１〜６３による検出結果や、ユーザによる操作部１２の操作に基づき排出先ジョブリストを更新する。
【００５５】
次に、本実施形態の画像形成システムの動作を図面を参照して詳細に説明する。
【００５６】
まず、あるユーザが端末装置４０から印刷ジョブを画像形成装置１０に対して送信すると、パスワード発行部６４により発行されたパスワードが端末装置４０に対して送信されてくる。ユーザは、この発行されたパスワードを記憶するかメモ用紙に書き写す等することによりパスワードを保持しておく。そして、スタッカ３１〜３３に排出された印刷物を取り出しに行く際には、この保持しているパスワードを持って行く。
【００５７】
そして、このユーザが所望の印刷ジョブの印刷結果をスタッカ３１〜３３から取り出そうとする際に、表示装置３４に表示される内容の一例を図８に示す。
【００５８】
表示装置３４には、画像形成装置１０、スタッカ３１〜３３の外観図とともに、スタッカ３１〜３３の中から排出ジョブリストを表示するための１つのスタッカ選択するための選択ボタン７１〜７３が表示されている。選択ボタン７１〜７３は、それぞれ、スタッカ３１〜３３に対応している。
【００５９】
図８に示されたような表示内容が表示装置３４に表示された状態において、ユーザがスタッカ３２の排出結果を確認したいスタッカとしてスタッカ３２に対応する選択ボタン７２をタッチした場合、図９に示すようなパスワードの入力画面が表示装置３４に表示される。
【００６０】
このようなパスワードの入力画面においてユーザが、予め受け取っていたパスワードを入力すると、入力されたパスワードとパスワード発行部６４が発行したパスワードとが一致するか否かの判定がパスワード判定部６５において行われる。ここで、比較したパスワードが一致した場合、パスワード判定部６５は認証が成功した旨を表示制御部５４および解錠部６６に通知する。
【００６１】
すると、解錠部６６は、スタッカ３１〜３３に設けられているロック機構８１〜８３を解錠して、スタッカ３１〜３３に収容された用紙の取り出しを可能とする。
【００６２】
また、表示制御部５４は、排出先ジョブリスト作成部５３により作成された排出先ジョブリストを表示するよう表示装置３４を制御するため、図１０（Ａ）に示されるような排出先ジョブリストが表示装置３４に表示される。
【００６３】
図１０（Ａ）では、スタッカ３２（＃２）の排出結果として、収容された印刷ジョブの文書名、排出時間、ユーザ名、排出枚数、排出状態等が印刷ジョブ毎に表示されている。この排出先ジョブリストは、スタッカ３２内の収容部に積載されている状態に対応して表示されている。そのため、ユーザは、この排出先ジョブリストを参照することにより、所望の印刷ジョブの印刷結果が積載されている状態や位置を容易に把握することが可能となる。
【００６４】
この排出先ジョブリストを参照したユーザがスタッカ３２の扉を開けて収容されている用紙を取り出した場合、実際の積載状態と排出結果情報格納部５１に格納されている印刷結果情報とが一致しなくなる。そのため、収容されている用紙を取り出したユーザは、排出結果情報から取り出した用紙に対応した情報を削除することが必要となる。
【００６５】
この場合、ユーザは、図１０（Ａ）に示すような画面上において、取り出した印刷ジョブに対応するリストを選択する。すると、図１０（Ｂ）に示すように、選択されたリストの画面色が反転する。このような状態において、「削除」ボタンをタッチすると、図１０（Ｃ）に示すように選択されていた印刷ジョブのリストが排出先ジョブリストから削除される。
【００６６】
なお、スタッカ３２内に収容されていた全ての用紙が取り出された場合には、スタッカ３２に設けられていたセンサ６２により用紙が無くなったことが検出され、スタッカ３２に対応した排出先ジョブリスト中の全ての印刷ジョブリストは削除され、図１０（Ｄ）に示したような状態となる。
【００６７】
次に、あるユーザがユーザ名を指定して所望の印刷ジョブの印刷結果を探す場合について説明する。
【００６８】
この場合、ユーザは、図８に示した表示例において、「ユーザ名」というボタンにタッチすると、図１１に示すような表示内容が表示装置３４に表示される。
【００６９】
そして、図１１に示したような画面において、排出先を探そうとする印刷ジョブのユーザ名、例えば「Kenichi Miyazaki」というユーザ名を入力して、「確定」ボタンをタッチする。
【００７０】
すると、図９に示したようなパスワードの入力画面が表示装置に表示され、ユーザが入力したパスワードが過去の発行されたパスワードと一致した場合、図１２（Ａ）に示すような排出先ジョブリストが表示装置３４に表示される。
【００７１】
図１２（Ａ）では、ユーザ名が「Kenichi Miyazaki」の印刷ジョブの排出結果として、印刷ジョブの文書名、排出時間、ユーザ名、排出枚数、排出状態、排出先等が印刷ジョブ毎に表示されている。
【００７２】
ここで、ユーザが、「fffffff.doc」という文書名の印刷ジョブの印刷結果を取り出そうとする場合について説明する。ここで、「fffffff.doc」という文書名の印刷ジョブは、排出先情報を参照するとスタッカ３１（＃１）とスタッカ３３（＃３）に分かれて排出されている。
【００７３】
そのため、ユーザがこの印刷ジョブリストを選択すると、図１２（Ｂ）に示すように、選択されたリストの画面色が反転する。この状態でユーザが「詳細」ボタンにタッチすると、図１３（Ａ）に示すような排出先ジョブリストが表示される。
【００７４】
図１３（Ａ）は、選択した印刷ジョブの前半分が排出されたスタッカ３１（＃１）の排出先ジョブリストを示している。この図１３（Ａ）に示した表示状態において、ユーザが「次排出先」ボタンをタッチすると、図１３（Ｂ）に示すようなスタッカ３３（＃３）の排出先ジョブリストが表示される。
【００７５】
このように所望の印刷ジョブの排出結果情報を取得したユーザが、スタッカ３１、３３の扉を開けて印刷済みの用紙を取り出した場合、取り出した印刷ジョブのリストを排出結果情報から削除する必要がある。
【００７６】
そのため、ユーザは、図１３（Ｂ）に示す表示状態において、取り出した用紙に対応する印刷ジョブのリストを選択すると、図１３（Ｃ）に示すように選択されたリストの画面色が反転する。この状態においてユーザが、「削除」ボタンをタッチすると、図１４（Ａ）に示すように選択されていた印刷ジョブのリストが排出先ジョブリストから削除される。
【００７７】
そして、ユーザが「戻る」ボタンをタッチすると、図１４（Ｂ）に示すようなスタッカ３１の排出先ジョブリスト画面に戻る。そして、同様にて、ユーザが、図１４（Ｂ）に示す表示状態において、取り出した用紙に対応する印刷ジョブのリストを選択すると、図１４（Ｃ）に示すように選択されたリストの画面色が反転する。この状態においてユーザが、「削除」ボタンをタッチすると、図１４（Ｄ）に示すように選択されていた印刷ジョブのリストが排出先ジョブリストから削除される。
【００７８】
そして、ユーザが「戻る」ボタンをタッチすると、図１５（Ａ）に示すようなユーザ名が「Kenichi Miyazaki」の排出先ジョブリスト画面に戻る。上述したような処理により「fffffff.doc」という文書名の印刷ジョブの印刷結果は、排出先ジョブリストから既に削除された状態となっている。
【００７９】
また、この図１５（Ａ）の排出先ジョブリストにおいて、排出先が複数のスタッカに分割して排出されていない印刷ジョブを削除しようとする場合には、図１５（Ｂ）に示すように削除しようとする印刷ジョブの文書名を選択して「削除」ボタンとタッチすることにより、図１６（Ａ）に示すようにその印刷ジョブを削除することが可能である。
【００８０】
さらに、図１６（Ａ）に示すような表示画面において「一括」ボタンをタッチした場合、図１６（Ｂ）に示すように排出先ジョブリスト中に含まれる全ての印刷ジョブのリストが選択され、この状態において「削除」ボタンをタッチすることにより、図１６（Ｃ）に示すように全ての印刷ジョブが排出先ジョブリストから削除される。
【００８１】
本実施形態の画像形成システムによれば、排出先を指定すると、指定された排出先の排出結果情報が表示装置３４に表示されるので、複数の排出先が存在する場合でも、所望の印刷物が排出された場所を容易に把握することが可能となる。また、文書名やユーザ名やユーザＩＤ等を指定すると、指定された条件に合致する印刷ジョブの排出先リストである排出先ジョブリストが表示装置３４に表示されるので、複数の排出先が存在する場合でも、所望の印刷物が排出された場所を容易に把握することが可能となる。
【００８２】
なお、スタッカ３１〜３３に、排出先を特定可能なランプやＬＥＤ等の標識灯をそれぞれ設け、検索条件指定部５５により指定されたユーザ名、ジョブＩＤ等の所定条件に合致する印刷ジョブの排出先であるスタッカに設けられた標識灯を点滅等させて動作させるようにすれば、ユーザが所望の印刷ジョブが排出された排出先をより把握し易くなる。この標識灯の色や点滅パターンをクライアント装置毎に設定するようにすれば、より所望の印刷結果を探し易くなる。
【００８３】
なお、排出先ジョブリスト生成部５３は、生成した排出先ジョブリストを、印刷ジョブを送信してきた端末装置４０に対して通知するようにしてもよい。このような構成にすることにより、上記の表示装置３４において行われていた処理と同様な処理を端末装置４０上の画面で実行することが可能となる。
【００８４】
なお、上記実施形態では、排出先ジョブリストには、文書名、ジョブ終了時間、印刷ジョブを送信してきたユーザ名、排出枚数、排出状態、排出枚数、ジョブＩＤ等の情報が含まれるものとして説明しているが、排出先ジョブリストに、印刷ジョブを送信したユーザ名および印刷ジョブを特定可能な情報である文書名やジョブＩＤ等が少なくとも含まれていれば、ユーザは所望の印刷ジョブの排出先を容易に把握することが可能である。
【００８５】
また、上記実施形態では、画像形成システム本体に接続された３台のスタッカ３１〜３３が排出先である場合を用いていたが、排出先が複数存在する画像形成システムであれば本発明を同様に適用することが可能である。
【００８６】
上記実施形態では、排出先として、画像が形成された用紙を収容するためのスタッカを用いて説明しているが、針留め（ステープル）、穴開け（パンチ）、裁断、折り処理、製本（ブックレット）等の各種用紙後処理を行う後処理機能を備えた後処理装置が排出先の場合でも、本発明は同様に適用可能である。
【図面の簡単な説明】
【００８７】
【図１】本発明の一実施形態の画像形成システムのシステム構成を示す図である。
【図２】本発明の一実施形態の画像形成システムのハードウェア構成を示すブロック図である。
【図３】本発明の一実施形態の画像形成装置１０におけるシステム制御部１１の機能構成を示すブロック図である。
【図４】反転部５７の具体的な構成例を示す。
【図５】反転部５７により表裏が反転された後の用紙がスタッカ３１〜３３内において収容される様子を示す図である。
【図６】合紙挿入部５９により１つの印刷ジョブの印刷物毎に合紙が挿入された場合の具体例を示す図である。
【図７】印刷モードと使用可能な漏洩防止方法との関係を示す図である。
【図８】あるユーザが所望の印刷ジョブの印刷結果をスタッカ３１〜３３から取り出そうとする際に、表示装置３４に表示される内容の一例を示す図である。
【図９】パスワードの入力画面の一例を示す図である。
【図１０】表示装置３４に表示される排出先ジョブリストの一例を示す図である。
【図１１】ユーザ名が指定された場合の排出先ジョブリストの一例を示す図である。
【図１２】ユーザ名が指定された場合の排出先ジョブリストの一例を示す図である。
【図１３】ユーザ名が指定された場合の排出先ジョブリストの一例を示す図である。
【図１４】ユーザ名が指定された場合の排出先ジョブリストの一例を示す図である。
【図１５】ユーザ名が指定された場合の排出先ジョブリストの一例を示す図である。
【図１６】ユーザ名が指定された場合の排出先ジョブリストの一例を示す図である。
【符号の説明】
【００８８】
１    画像形成システム
１０    画像形成装置
１１    システム制御部
１２    操作部
１３    画像入力部
１４    画像処理部
１５    画像記憶部
１６    画像出力部
１７    後処理装置制御部
１８    用紙搬送部
２０    給紙装置
２１    ＣＰＵ
２２    ＲＯＭ
２３    ＲＡＭ
２４    ＨＤＤ
３１〜３３    スタッカ
３４    表示装置
４０    端末装置
４１    ＣＰＵ
４２    ＲＯＭ
４３    ＲＡＭ
４４    ＨＤＤ
４５    用紙搬送部
４６    収容部
５０    ネットワーク
５１    排出結果情報格納部
５２    選択結果受付部
５３    排出先ジョブリスト作成部
５４    表示制御部
５５    検索条件指定部
５６    排出結果更新部
５７    反転部
５８    セキィリティモード設定部
５９    合紙挿入部
６１〜６３    センサ
６４    パスワード発行部
６５    パスワード判定部
６６    解錠部
７１〜７３    選択ボタン
７４〜７６    合紙
８１〜８３    ロック機構
８４〜８６    印刷物
９１〜９３    インターポーザ
【図１】
2009137186.tif 000003
【図２】
2009137186.tif 000004
【図３】
2009137186.tif 000005
【図４】
2009137186.tif 000006
【図５】
2009137186.tif 000007
【図６】
2009137186.tif 000008
【図７】
2009137186.tif 000009
【図８】
2009137186.tif 000010
【図９】
2009137186.tif 000011
【図１０】
2009137186.tif 000012
【図１１】
2009137186.tif 000013
【図１２】
2009137186.tif 000014
【図１３】
2009137186.tif 000015
【図１４】
2009137186.tif 000016
【図１５】
2009137186.tif 000017
【図１６】
2009137186.tif 000018